(57)【要約】【課題】ロッカーの組立性を向上する。【解決手段】組立式ロッカーは、平板状の底板２０と、底板２０の幅方向両端部に設けられ、上方に向けて立設された一対の側板３０，３０と、一対の側板３０上に架設された天板と、底板２０と一対の側板３０，３０と天板とに囲まれた空間の背面側を閉塞する背面板と、を備え、底板２０の幅方向の側端部に、上方に向けて突出可能に設けられた突出部材８０と、突出部材８０を上方に突出させる操作部材９０と、側板３０の下端部に形成され、突出部材８０を突出させたときに突出部材８０が下方から挿入される挿入凹部３８と、を備える。【選択図】図１７
2015104402.tif 000002
【特許請求の範囲】
【請求項１】
平板状の底板と、
前記底板の幅方向両端部に設けられ、上方に向けて立設された一対の側板と、
一対の前記側板上に架設された天板と、
前記底板と一対の前記側板と前記天板とに囲まれた空間の背面側を閉塞する背面板と、を備え、
前記底板の幅方向の側端部に、上方に向けて突出可能に設けられた突出部材と、
前記突出部材を、該突出部材の上端が前記底板上面より下方に位置した状態から上方に向かって突出させる操作部材と、
前記側板の下端部に形成され、前記突出部材が下方から挿入される挿入凹部と、
を備えていることを特徴とする組立式ロッカー。
【請求項２】
前記突出部材は、
前記底板の側端部に形成され、上下方向に延びるスリットから前記底板の内側に挿入される挿入部と、
前記挿入部に形成されたネジ孔と、を備え、
前記操作部材は、前記底板の上面から下方に貫通し、前記ネジ孔に螺合したボルトであることを特徴とする請求項１に記載の組立式ロッカー。
【請求項３】
前記突出部材の上端部に第一の貫通孔が形成され、
前記側板に、前記突出部材を突出させた状態で前記第一の貫通孔に連続する第二の貫通孔が形成され、
前記側板は、前記第一の貫通孔及び前記第二の貫通孔を貫通する締結部材により前記突出部材に固定されることを特徴とする請求項１または２に記載の組立式ロッカー。
【請求項４】
前記底板の側端部に、外方に向けて延び、前記側板の下端部を受ける受け部材が形成され、
前記受け部材に、前記側板の下端部が前記底板から外方側に変位するのを拘束するストッパ部が形成されていることを特徴とする請求項１から３のいずれか一項に記載の組立式ロッカー。
【請求項５】
前記底板の側端部の前後方向一端側に、外方に向けて突出する軸部材が設けられるとともに、前記側板の下端部の前後方向一端側に、前記軸部材が挿入される軸挿入部が形成され、
前記底板および前記側板の前後方向他端側に、前記突出部材および前記挿入凹部が配置されていることを特徴とする請求項１から４のいずれか一項に記載の組立式ロッカー。
【請求項６】
前記底板の側端部に、前記軸部材に直交し、前記軸挿入部に前記軸部材を挿入した状態で前記側板を前記軸部材回りに回動させるときに、前記側板をガイドするガイド面が形成されていることを特徴とする請求項５に記載の組立式ロッカー。
【発明の詳細な説明】
【技術分野】
【０００１】
本発明は、物品を収容する組立式ロッカーに関する。
【背景技術】
【０００２】
周知のように、オフィス、事務所、各種施設等において、個人の所持品等の物品を収容するために、ロッカーが広く用いられている。
このようなロッカーは、予め工場で組み立てられた完成状態の製品もある。しかし、完成状態のロッカーは体積が大きく、倉庫等における保管や配送中にスペースを要するという問題がある。
そこで、ロッカーを、底板、天板、側板、背面板、扉等のパネル状の部材の状態で梱包し、これらの部材を、納品先で、業者やユーザが組み立てる、組立式の製品がある（例えば特許文献１参照）。
【０００３】
このような組立式のロッカーを組み立てるには、底板に側板や背面板を取り付け、さらに側板や背面板の上端部に天板を取り付け、全体を箱状とする。そして、必要に応じて扉を取り付ける。
【先行技術文献】
【特許文献】
【０００４】
【特許文献１】実開昭６３−１９３３２号公報
【発明の概要】
【発明が解決しようとする課題】
【０００５】
上記のような組立式のロッカーの組立は、ユーザが行う可能性もあるため、できるだけ簡単に行えるようにするのが好ましく、例えば一人でも容易に組み立て行うことができるのが良い。
しかし、ロッカーを構成する部品のうち、特に側板は上下方向に長尺である。したがって、側板の下端部を底板に連結するときに側板が不安定になりやすく、取り付けようとした側板が倒れてしまう可能性がある。
例えば、側板と底板とを接続するボルト等を締める途中で側板が倒れると、側板の下端部のボルト締結部分に大きなモーメントが作用し、側板が変形してしまう等の可能性もある。
そこでなされた本発明の目的は、ロッカーの組立性を向上することのできる組立式ロッカーを提供することである。
【課題を解決するための手段】
【０００６】
本発明は、上記課題を解決するため、以下の手段を採用する。
すなわち、本発明の組立式ロッカーは、平板状の底板と、前記底板の幅方向両端部に設けられ、上方に向けて立設された一対の側板と、一対の前記側板上に架設された天板と、前記底板と一対の前記側板と前記天板とに囲まれた空間の背面側を閉塞する背面板と、を備え、前記底板の幅方向の側端部に、上方に向けて突出可能に設けられた突出部材と、前記突出部材を、該突出部材の上端が前記底板上面より下方に位置した状態から上方に向かって突出させる操作部材と、前記側板の下端部に形成され、前記突出部材が下方から挿入される挿入凹部と、を備えていることを特徴とする。
このような組立式ロッカーによれば、底板の側端部に側板を沿わせて立てた状態で、操作部材を操作して突出部材を上方に向けて突出させる。この突出した突出部材を側板の挿入凹部に下方から挿入させることで、側板が倒れるのを防ぐことができる。この状態で、底板と側板とを接続すれば、側板の取り付けを容易に行うことができる。
また、組立前の状態では、突出部材を上方に突出させない状態としておくことで、底板に突起部分が生じるのを防ぐ。これにより、底板に他の部品を積み重ねたり、段ボール等で梱包したりしたときに、他の部品や段ボールを損傷させるのを防ぐことができる。
【０００７】
前記突出部材は、前記底板の側端部に形成され、上下方向に延びるスリットから前記底板の内側に挿入される挿入部と、前記挿入部に形成されたネジ孔と、を備え、前記操作部材は、前記底板の上面から下方に貫通し、前記ネジ孔に螺合したボルトであるようにしてもよい。
これにより、操作部材としてのボルトを回転させると、ボルトとネジ孔の螺合により、挿入部を有した突出部材が上昇し、上方に向けて突出する。このようにして突出部材の突出動作を容易かつ確実に行える。
【０００８】
前記突出部材の上端部に第一の貫通孔が形成されるとともに、前記側板に、前記突出部材を突出させた状態で前記第一の貫通孔に連続する第二の貫通孔が形成され、前記側板は、前記第一の貫通孔及び前記第二の貫通孔を貫通する締結部材により前記突出部材に固定されるようにしてもよい。
このようにして、突出部材の上端部で側板が突出部材に固定される。すると、側板が強固に突出部材に締結される。
【０００９】
前記底板の側端部に、外方に向けて延び、前記側板の下端部を受ける受け部材が形成され、前記受け部材に、前記側板の下端部が前記底板から外方側に変位するのを拘束するストッパ部が形成されているようにしてもよい。
このような組立式ロッカーによれば、組立時に、受け部材上に側板の下端部を載せると、ストッパ部により側板の下端部が外方に変位するのを防ぐことができる。これにより側板が倒れるのを防止する。したがって、組み立てをより容易に行うことができる。
【００１０】
前記底板の側端部の前後方向一端側に、外方に向けて突出する軸部材が設けられるとともに、前記側板の下端部の前後方向一端側に、前記軸部材が挿入される軸挿入部が形成され、前記底板および前記側板の前後方向他端側に、前記突出部材および前記挿入凹部が配置されているようにしてもよい。
これにより、側板を底板に装着するときには、側板は、前後方向一端側に対して他端側を上方に上げて傾斜した状態で、軸挿入部に軸部材を挿入する。そして、この状態から、側板を、軸部材回りに回動させ、前後方向他端側を下降させる。すると、前後方向他端側に配置された突出部材が挿入凹部に挿入される。これにより、側板を容易に取り付けることが可能となる。
【００１１】
前記底板の側端部に、前記軸部材に直交し、前記軸挿入部に前記軸部材を挿入した状態で前記側板を前記軸部材回りに回動させるときに、前記側板をガイドするガイド面が形成されているようにしてもよい。
これにより、側板が安定して回動し、突出部材の挿入凹部への挿入等を円滑に行うことができる。
【発明の効果】
【００１２】
本発明によれば、組立式ロッカーの組立性を向上することができる。
【図面の簡単な説明】
【００１３】
【図１】本実施形態に係る組立式ロッカーの外観を示す斜視図である。
【図２】３人用ロッカーの部品構成を示す平面図である。
【図３】底板の斜視図である。
【図４】側板を示す図であって、（ａ）は側板の斜視図、（ｂ）は側板の下端部を内側面側から見た図である。
【図５】天板を下方から見た斜視図である。
【図６】仕切板の斜視図である。
【図７】（ａ）は第一背面板の外観を示す斜視図、（ｂ）は段付きネジを示す断面図である。
【図８】第二背面板の外観を示す斜視図である。
【図９】（ａ）は４人用ロッカーの部品構成を示す平面図、（ｂ）は５人用ロッカーの部品構成を示す平面図である。
【図１０】底板の側端部の構成を示す斜視図である。
【図１１】底板の側端部の構成を示す図であり、（ａ）は平面図、（ｂ）は側面図である。
【図１２】突出部材の構成を示す図であり、（ａ）は突出部材の斜視図、（ｂ）は突出部材の側面図である。
【図１３】底板に側板を取り付ける前の状態を示す図である。
【図１４】側板の下端部を斜め下方から見た斜視断面図である。
【図１５】底板に側板を取り付けた状態を示す側面図である。
【図１６】底板に側板を取り付ける途中で、側板を回動させている状態を示す斜視図である。
【図１７】底板に側板を取り付ける途中で、側板を回動させている状態を示す側面図である。
【図１８】組立式ロッカーの部品構成の変形例を示す図である。
【発明を実施するための形態】
【００１４】
以下、添付図面を参照して、本発明による組立式ロッカーを実施するための形態を説明する。しかし、本発明はこの実施形態のみに限定されるものではない。
なお、以下の説明において、上方、下方、前方、後方といった方向は、組立式ロッカー１０を床面上に設置して使用するときの状態に対応した方向としている。すなわち、組立式ロッカー１０が設置される床面側を「下方」、その反対方向を「上方」、この組立式ロッカー１０を使用するユーザが組立式ロッカー１０に対向する側を「前方」、その反対側を「後方」または「背面側」と称する。さらに、組立式ロッカー１０において、床面に平行で、前後方向に直交する方向を「幅方向」と称する。また、組立式ロッカー１０を構成する各部品を説明するに際しては、各部品を組み付けた状態での方向（「下方」、「上方」、「前方」、「後方」等）を用いることとする。
【００１５】
図１は、本実施形態に係る組立式ロッカー１０の外観を示す斜視図である。図２は、組立式用ロッカー１０の部品構成を示す平面図である。
図１、図２に示すように、組立式ロッカー１０は、床面上に設置される矩形平板状の底板２０と、底板２０の幅方向両端部に上方に向けて立設された一対の側板３０，３０と、これら側板３０，３０上に架設された天板４０と、これら底板２０、一対の側板３０，３０、天板４０によって囲まれた空間の後方側を覆う背面板５０と、を備えている。
【００１６】
さらに、組立式ロッカー１０は、底板２０上において一対の側板３０，３０の間に、底板２０の幅方向に間隔を隔てて立設された仕切板６０を備えている。これにより、底板２０と、天板４０と、両側の側板３０，３０とによって囲まれる空間が、仕切板６０によって幅方向に複数に区切られて、例えば３つの個別収容空間Ｓが画成されている。
【００１７】
そして、組立式ロッカー１０の前面側には、各個別収容空間Ｓの前方を塞ぐ扉７０が、一側端に設けられた不図示のヒンジピンで構成されるヒンジ機構を介して、開閉自在に設けられている。このように、組立式ロッカー１０は、個別収容空間Ｓが３つ形成され、この個別収容空間Ｓに対応して扉７０が３枚設けられた３人用のロッカーである。
【００１８】
図３は、底板の斜視図である。
図３に示すように、底板２０は、平板状で、個別収容空間Ｓの数に応じた幅を有している。底板２０の上面２０ｕには、背面板５０および仕切板６０の下端部、扉７０のヒンジピンを差し込むための背面板用スリット２１、仕切板用スリット２２Ａ，２２Ｂ、扉用ヒンジ孔２３が所定の位置に形成されている。なお、本実施形態では、扉７０を右開き、左開きのいずれにもできるよう、それぞれの個別収容空間Ｓに対応する部分の幅方向両側に扉用ヒンジ孔２３が設けられている。
また、底板２０の幅方向両端部の側面２０ｓには、それぞれ、側板３０を係止する係止部２５が設けられている。係止部２５の構成については、後に詳述する。
【００１９】
図４は、側板３０を示す図であって、（ａ）は側板３０の斜視図、（ｂ）は側板３０の下端部を内側面側から見た図である。
図４に示すように、側板３０は、上下方向に長尺な帯板状で、底板２０（図３参照）に接続した状態で底板２０の側面２０ｓ（図３参照）側（以下、これを内方と称することがある）を向く内面３０ｆの下端部に、係止部２５（図３参照）に係止される被係止部材３１が設けられている。この被係止部材３１の構成についても後に詳述する。
側板３０の上端部には、上方に向けて突出し、後述する天板４０（図５参照）の補剛リブ４１（図５参照）の内側に差し込まれる突出リブ３２が形成されている。
また、側板３０には、前後の端部がそれぞれ内面３０ｆから内方に向けて断面Ｊ字状に折り曲げられることによって、上下方向に連続する補剛部３３，３３が一体に形成されている。
そして、側板３０の後端側の補剛部３３の先端部には、背面板５０や扉７０が突き当たるフランジ３４が、内面３０ｆに直交する方向に突出形成されている。
【００２０】
図５は、天板４０を下方から見た斜視図である。
図５に示すように、天板４０は、矩形の平板状で、底板２０と同じ大きさを有している。
天板４０において、底板２０側を向く下面４０ｆには、その外周部の四辺に沿って、断面Ｕ字状に折り曲げ形成された補剛リブ４１が設けられている。そして、天板４０において後端側の補剛リブ４１には、背面板５０の上端部を内側から差し込むための背面板用スリット４２が形成されている。また、前端側の補剛リブ４１には、扉７０のヒンジピンを差し込むための扉用ヒンジ孔４３が所定の位置に形成されている。
また、天板４０の下面４０ｆには、仕切板６０を設ける位置に、前後方向に連続する補強リブ４４が形成されている。そして、補強リブ４４には、仕切板６０の上端部を差し込む仕切板用スリット４５が形成されている。
【００２１】
図６は、仕切板６０の斜視図である。
図６に示すように、仕切板６０は、上下方向に長尺な帯板状で、その下端部に、底板２０（図３参照）の仕切板用スリット２２Ａ，２２Ｂ（図３参照）に差し込まれる係止突起６１Ａ，６１Ｂが下方に向けて突出形成されている。また、仕切板６０の上端部には、天板４０（図５参照）の仕切板用スリット４５（図５参照）に差し込まれる係止突起６２が上方に向けて突出形成されている。さらに、仕切板６０の後端側には、後方に向けて突出する係止爪６３が形成されている。
【００２２】
図１に示したように、扉７０は、上下方向に長い帯板状で、幅方向一方の端部の上下端部に、上方および下方に突出する不図示のヒンジピンを備えている。このヒンジピンを、底板２０の扉用ヒンジ孔２３及び天板４０の扉用ヒンジ孔４３に挿入することで、扉７０は、上下方向を軸線方向とする軸周りに回動自在に設けられている。
さらに、扉７０には、扉７０を開閉するための把手７１や、扉７０を閉状態で施錠する不図示のロック装置等を備えることもできる。
【００２３】
図２に示したように、背面板５０は、１つの個別収容空間Ｓの背面側の領域を閉塞する第一背面板５１と、第一背面板５１とは異なる数である２つの個別収容空間Ｓの背面側の領域を閉塞する第二背面板５２と、を備える。
【００２４】
図７は、（ａ）は第一背面板５１の外観を示す斜視図、（ｂ）は側板３０に設けられた段付きネジ１００を示す断面図である。図８は、第二背面板５２の外観を示す斜視図である。
図７（ａ）、図８に示すように、第一背面板５１，第二背面板５２のそれぞれは、上下方向に長い帯板状で、その四辺が組立式ロッカー１０の内側に向けて折り曲げられている。そして、第一背面板５１は、１つの個別収容空間Ｓに応じた幅寸法を有し、第二背面板５２は、２つの個別収容空間Ｓに応じた幅寸法を有している。
【００２５】
第一背面板５１，第二背面板５２は、その上端部に、上方に向けて突出し、天板４０の補剛リブ４１の内側に差し込まれる突出リブ５３，５４が形成されている。突出リブ５３，５４の上端部には、第一背面板５１，第二背面板５２を所定の位置に組み付けた状態で組立式ロッカー１０の後方を向く側に突出し、背面板用スリット４２に差し込まれる係止突起５５がそれぞれ形成されている。
また、第一背面板５１，第二背面板５２は、その下端部に、下方に向けて突出し、底板２０の背面板用スリット２１に差し込まれる係止突起５６がそれぞれ形成されている。
さらに、第一背面板５１の幅方向一方の端部５１Ｌ，第二背面板５２の幅方向両端部５２Ｒ，５２Ｌには、それぞれ、係止フック５７が上下方向に間隔をあけて複数個所に形成されている。
【００２６】
第一背面板５１の幅方向一方の端部５１Ｌと、第二背面板５２の幅方向他方の端部５２Ｒは、それぞれ、図４（ａ）に示した側板３０の後端側の補剛部３３に突き当てられる。そして、補剛部３３に取り付けられた段付きネジ１００（図７（ａ）参照）に、係止フック５７を係止させるようになっている。
また、第二背面板５２は、幅方向一方の端部５２Ｌを第一背面板５１の幅方向他方の端部５１Ｒに突き当て、この端部５１Ｒに設けられた段付きネジ１００（図７（ａ）では不図示）に、係止フック５７を係止させるようになっている。
ここで、図７（ｂ）に示すように、段付きネジ１００は、ネジ軸部１０１とネジ頭部１０２との間に、ネジ軸部１０１よりも外径が大きく、ネジ頭部１０２よりも外径が小さな段部１０３を有したものである。この段付きネジ１００のネジ軸部１０１をネジ孔１０４にねじ込むことによって、段部１０３に、係止フック５７や、後述する軸挿入溝（軸挿入部）３６を係止できるようになっている。
【００２７】
上記したような基本構成を有する組立式ロッカー１０において、上記の例では３人用のロッカーを構成したが、これ以外に、４人以上用の組立式ロッカー１０は、以下のようにして構成する。
図９は、（ａ）は４人用ロッカーの部品構成を示す平面図、（ｂ）は５人用ロッカーの部品構成を示す平面図である。
すなわち、例えば、図９（ａ）に示すように、４人用の組立式ロッカー１０を構成する場合、この組立式ロッカー１０は、底板２０と、底板２０の両端部に立設された一対の側板３０，３０と、一対の側板３０，３０上に架設された天板４０と、一対の側板３０，３０間に設けられた複数枚の仕切板６０と、各個別収容空間Ｓの前面を閉塞する複数枚の扉７０と、を備える。
【００２８】
底板２０および天板４０は、４つの個別収容空間Ｓの数に応じた幅を有するものとする。そして、底板２０の幅方向両側に設ける一対の側板３０，３０は、上記３人用の組立式ロッカー１０で用いたのと同じものを用いる。
さらに、側板３０，３０間に設ける、個別収容空間Ｓの数に応じた数〔（個別収容空間Ｓの数）−１〕の仕切板６０も、上記３人用の組立式ロッカー１０で用いたのと同じものを用いる。
【００２９】
背面板５０は、上記３人用の組立式ロッカー１０で用いた、１つの個別収容空間Ｓの背面側を閉塞する第一背面板５１と、第一背面板５１とは異なる数である２つの個別収容空間Ｓの背面側を閉塞する第二背面板５２の中から、複数枚を組み合わせて、最小枚数で組立式ロッカー１０を構成する。
すなわち、図９に示した４人用の組立式ロッカー１０の場合、第二背面板５２を２枚用いることで、背面板５０を構成する。
【００３０】
さらに、図９（ｂ）に示すように、例えば５人用の組立式ロッカー１０を構成する場合には、２枚の第二背面板５２と、１枚の第一背面板５１とを組み合わせて背面板５０を構成する。
【００３１】
すなわち、偶数人数用の組立式ロッカー１０であれば、２つの個別収容空間Ｓの背面側を閉塞する第二背面板５２のみを複数枚組み合わせて背面板５０を構成できる。奇数人数用の組立式ロッカー１０であれば、１枚の第一背面板５１と、１枚以上の第二背面板５２とを組み合わせて背面板５０を構成できる。
なお、組立式ロッカー１０が偶数人数用であっても奇数人数用であっても、１枚の第二背面板５２に代えて、２枚の第一背面板５１に代えることで、第一背面板５１と第二背面板５２とで背面板５０を構成することもできる。ただし、組立の手間等の面から、背面板５０を、第一背面板５１、第二背面板５２の中から選択した最小限の枚数で構成するのが好ましい。
【００３２】
図１０は、底板２０の側端部の構成を示す斜視図である。図１１は、底板２０の側端部の構成を示す図であり、（ａ）は平面図、（ｂ）は側面図である。図１２は、底板２０に設けられる突出部材８０の構成を示す図であり、（ａ）は突出部材８０の斜視図、（ｂ）は突出部材８０の側面図である。図１３は、底板２０に側板３０を取り付ける前の状態を示す図である。図１４は、側板３０の下端部を斜め下方から見た斜視断面図である。図１５は、底板２０に側板３０を取り付けた状態を示す側面図である。図１６は、底板２０に側板３０を取り付ける途中で、側板３０を回動させている状態を示す斜視図である。図１７は、底板２０に側板３０を取り付ける途中で、側板３０を回動させている状態を示す側面図である。
さて、上記したような基本構成を有する組立式ロッカー１０において、側板３０の組立性向上のため、以下に示すような構成が採用されている。
図３、図１０、図１１に示すように、底板２０の幅方向両端部の側面２０ｓに設けられ、側板３０を係止する係止部２５として、底板２０の側端部２０ａには、側板３０の下端部を受ける受け部材２６が形成されている。この受け部材２６は、側面２０ｓの下端部から側面２０ｓに直交して外方に延び、側板３０の下端部を支持する支持面２６ａと、支持面２６ａの先端部から上方に立ち上がるよう形成され、側板３０の下端部が底板２０から外方側に変位するのを拘束するストッパ部２６ｂと、が一体に形成されている。
【００３３】
さらに、側端部２０ａの後端側には、側面２０ｓに直交して外方に向けて突出する軸部材２７が、係止部２５として設けられている。この軸部材２７としては、図７（ｂ）に示したのと同様の段付きネジ１００を用いることができる。
【００３４】
また、側端部２０ａの前端側には、側面２０ｓを貫通するスリット部２８が形成されている。このスリット部２８は、上下方向に連続する上下スリット（スリット）２８ａと、上下スリット２８ａの上下方向中間部から上下スリット２８ａと直交して延びる横スリット２８ｂとが、略Ｔ字状に形成されている。
【００３５】
このスリット部２８には、突出部材８０が、係止部２５として装着される。
図１２（ａ）、（ｂ）に示すように、突出部材８０は、上下方向に延びる帯状のベース部８１と、ベース部８１の一方の側端部から直交して延びるガイド部８２と、ベース部８１の上下端部にそれぞれ設けられ、ベース部８１の他方の側端部からガイド部８２と同じ方向に直交して延びるプレート部８３，８４と、ベース部８１の上下方向中間部から、プレート部８３，８４が形成されている側に突出形成されたアーム部８５と、アーム部８５の先端側で、アーム部８５に直交して延びるブラケット部（挿入部）８６と、を備えている。
そして、上方のプレート部８３と、ブラケット部８６には、それぞれネジ孔（第一の貫通孔）８３ｈ、ネジ孔８６ｈが形成されている。
【００３６】
この突出部材８０が、アーム部８５およびブラケット部８６を、スリット部２８の上下スリット２８ａの下側および横スリット２８ｂに沿って、底板２０の内方に挿入される。すると、突出部材８０は、アーム部８５の基端側が、上下スリット２８ａ内で上下方向に移動自在となる。これにより、突出部材８０は、スリット部２８において、上下方向に移動自在とされている。このとき、上下のプレート部８３，８４は底板２０の側端部２０ａの側面２０ｓに沿い、突出部材８０が下降した状態でガイド部８２の下端部がストッパ部２６ｂに沿うようになっている。
【００３７】
そして、図１０に示すように、突出部材８０を、スリット部２８において上昇させたときには、ベース部８１，ガイド部８２の上部および上方のプレート部８３が、底板２０の上面２０ｕより下方に位置した状態から上方に向けて突出可能となっている。
このとき、ブラケット部８６は、横スリット２８ｂ以外の部分では、底板２０の側端部２０ａの内側面と干渉する。このため、突出部材８０は、スリット部２８において上下方向に移動させても、横スリット２８ｂ以外の部分では、スリット部２８から抜けないようになっている。
また、突出部材８０のブラケット部８６を挿入した後に手を離すと、自重により突出部材８０が下降し、ブラケット部８６が横スリット２８ｂよりも下方に位置するようになっている。これにより、突出部材８０がスリット部２８から不用意に脱落するのを防ぐことができる。
【００３８】
また、底板２０の上面２０ｕには、不図示の貫通孔を通してボルト（操作部材）９０が挿入され、その先端部が、ブラケット部８６に形成されたネジ孔８６ｈにねじ込まれている。これにより、ボルト９０を軸周りに回転させると、ブラケット部８６が上下方向に移動するよう操作される。このようにして、突出部材８０のうちベース部８１、ガイド部８２及び上方のプレート部８３の部分が、底板２０の上面２０ｕより下方に位置した状態から上方に突出可能とされている。
【００３９】
図１３、図１４に示すように、側板３０側の被係止部材３１は、側板３０の内面３０ｆと間隔をあけて平行に配置されたプレート部３１ａと、プレート部３１ａの上下端部から直交して折り曲げられた直交壁部３１ｂ，３１ｃと、直交壁部３１ｂ、３１ｃに直交して折り曲げ形成され、内面３０ｆに突き当たって接合されたフランジ部３１ｄ，３１ｅと、を有した、断面ハット状とされている。
【００４０】
さらに、被係止部材３１には、下方のフランジ部３１ｅの下端に、断面Ｕ字状で、受け部材２６によって支持される被支持部３５が一体に形成されている。この被支持部３５は、側板３０の内面３０ｆに直交する被支持面３５ａと、被支持面３５ａの幅方向両端から上方に向けて立ち上がる立ち上がり壁３５ｂ，３５ｃとを有している。側板３０の内面３０ｆに近接する側の立ち上がり壁３５ｃの上端部には、立ち上がり壁３５ｃおよび内面３０ｆに直交する直交壁３５ｄが形成されている。この直交壁３５ｄは、フランジ部３１ｅの下端に連続して形成されている。この直交壁３５ｄにより、被支持部３５の立ち上がり壁３５ｃと内面３０ｆとの間に、受け部材２６のストッパ部２６ｂが下方から挿入される隙間３５ｓが形成されている。
被支持部３５が受け部材２６内に挿入され被支持部３５の被支持面３５ａが受け部材２６の支持面に支持されることで、側板３０が底板２０の側端部２０ａに支持されて下方への移動が規制されるようになっている。また、立ち上がり壁３５ｃと内面３０ｆとの隙間３５ｓに、受け部材２６のストッパ部２６ｂが挿入されることで、側板３０の下端部が底板２０から外方側に変位するのが拘束される。
【００４１】
側板３０の下端部の少なくとも後端側において、被係止部材３１には、軸部材２７が挿入される軸挿入溝３６が、プレート部３１ａおよび直交壁３１ｃの一部を切欠くことで形成されている。軸部材２７が軸挿入溝３６に挿入された状態で、底板２０の側面２０ｓとネジ頭部１０２との間にプレート部３１ａが挟まれる。
【００４２】
さらに、側板３０の下端部の少なくとも前端側において、被係止部材３１には、直交壁３１ｃ、フランジ部３１ｅ、被支持部３５の前端部を切欠くことで、下方に向けて開口した挿入凹部３８が形成されている。この挿入凹部３８には、突出部材８０を上昇させたときに、底板２０の上面２０ｕから上方に突出したベース部８１、ガイド部８２及び上方のプレート部８３の部分が、下方から挿入されるようになっている。そして、突出部材８０を挿入凹部３８に挿入した状態で、被係止部材３１のプレート部３１ａの内側面に突出部材８０のプレート部８３が沿い、側板３０の内面３０ｆに突出部材８０のガイド部８２が沿うようになっている。
【００４３】
また、被係止部材３１のプレート部３１ａには、挿入凹部３８の上方に貫通孔（第二の貫通孔）３９が形成されている。底板２０の上面２０ｕから上方に突出させた状態の突出部材８０を挿入凹部３８に挿入し、被支持部３５が受け部材２６に支持された状態、つまり側板３０が底板２０に対して所定の位置関係に配置された状態で、貫通孔３９はプレート部８３のネジ孔８３ｈに連続するよう形成されている。
そして、側板３０は、貫通孔３９を貫通してネジ孔８３ｈにねじ込まれる締結ボルト（締結部材）９１（図１５参照）により、突出部材８０に固定されるようになっている。
【００４４】
このようにして、底板２０および側板３０の後端側には、軸部材２７および軸挿入溝３６が配置され、前端側には、突出部材８０および挿入凹部３８が配置されている。
なお、本実施形態の側板３０においては、側板３０を組立式ロッカー１０の幅方向左右のいずれの側にも設置できるよう、軸挿入溝３６および挿入凹部３８は、前後両端部にそれぞれ形成されている。
【００４５】
図１６、図１７に示すように、側板３０を底板２０に取り付けるには、まず、側板３０を、後端側に対して前端側を上方に上げて傾斜させた状態で、軸挿入溝３６に軸部材２７を挿入する。これにより、側板３０は、軸部材２７を中心として回動自在に支持される。
そして、この状態から、側板３０を、軸部材２７を中心として回動させて前端側を下降させる。このとき、軸部材２７のネジ頭部１０２と底板２０の側面２０ｓとの間に側板３０に設けられたプレート部３１ａが挟まれているため、側板３０が底板２０に対して幅方向に離間することなく回動する。よって、側板３０の被支持部３５の立ち上がり壁３５ｂおよび被係止部材３１のプレート部３１ａが、底板２０の側面２０ｓに沿うようにして、側板３０が回動する。つまり、側板３０を軸部材２７回りに回動させるときに、底板２０の側面２０ｓは側板３０の回動動作をガイドするガイド面として機能するようになっている。
また、側板３０を回動させていくと、受け部材２６のストッパ部２６ｂが、側板３０側の被支持部３５の立ち上がり壁３５ｃと内面３０ｆとの間の隙間３５ｓに入り込んでいく。これによっても、側板３０の回動動作がガイドされる。
【００４６】
そして、図１５に示したように、側板３０を回動させて前端側を下降させ、被支持部３５が受け部材２６内に入り込み被支持部３５の被支持面３５ａが受け部材２６の支持面に支持されることで、側板３０が底板２０に対して所定の位置にセットされる。
【００４７】
また、側板３０を回動させるにともない、底板２０の前端側に配置された突出部材８０が挿入凹部３８に挿入されていく。
この突出部材８０は、挿入凹部３８に挿入されていく過程で、被係止部材３１のプレート部３１ａに突出部材８０のプレート部８３が沿い、側板３０の内面３０ｆに突出部材８０のガイド部８２が沿う。これにより、突出部材８０は、側板３０が倒れるのを防ぐとともに、側板３０を底板２０に装着するときのガイドとなる。
【００４８】
このようにして側板３０を底板２０に対して所定の位置にセットした後、底板２０の上面２０ｕに頭部が露出しているボルト９０を締め込む。すると、このボルト９０に噛み合った突出部材８０のブラケット部８６が上昇し、これによって突出部材８０が、底板２０の上面２０ｕから上方に突出する。そして、ブラケット部８６の上面が底板２０の下面に突き当たった状態で、突出部材８０が上昇端に到達する。すると、側板３０の貫通孔３９が、プレート部８３のネジ孔８３ｈに連通する。そこで、締結ボルト９１を、貫通孔３９を貫通させてネジ孔８３ｈにねじ込むことで、側板３０が突出部材８０を介して底板２０に固定される。
【００４９】
上述したように、組立式ロッカー１０の背面板５０は、１つの個別収容空間Ｓの背面側を閉塞する第一背面板５１と、第一背面板５１とは異なる２つの個別収容空間Ｓの背面側を閉塞する第二背面板５２と、を備えるようにした。
これにより、第一背面板５１と第二背面板５２を適宜組み合わせることによって、３人用に限らず、４人用、５人用、それ以上の人数用の組立式ロッカー１０を構成することができる。したがって、さまざまな人数用の組立式ロッカー１０を構成する部品を共通化することができる。その結果、製作する部品の種類を減らすことができる。また、部品の保管スペースや管理の手間を抑えることができる。その結果、組立式ロッカー１０の低コスト化を図ることが可能となる。
【００５０】
また、上述した組立式ロッカー１０によれば、底板２０の幅方向両側の側端部２０ａに、上方に向けて突出可能に設けられた突出部材８０と、突出部材８０を上方に突出させるボルト９０と、側板３０の下端部に形成され、突出部材８０が下方から挿入される挿入凹部３８と、を備えている。
これにより、底板２０の側端部２０ａに沿わせて側板３０を立てた状態で、突出部材８０が挿入凹部３８に下方から挿入される。これにより、側板３０が倒れるのを防ぐことができる。この状態で、ボルト９０により突出部材８０を上方に向けて突出させて、底板２０と側板３０とを接続すれば、側板３０の取り付けを容易に行うことができる。
また、組立前の状態では、突出部材８０を上方に突出させない状態としておくことで、底板２０に突起部分が生じるのを防ぐ。これにより、底板２０に他の部品を積み重ねたり、段ボール等で梱包したりしたときに、他の部品や段ボールを損傷させるのを防ぐことができる。
【００５１】
また、突出部材８０は、底板２０の側端部２０ａに形成された上下スリット２８ａから底板２０の内側に挿入されるブラケット部８６と、ブラケット部８６に形成されたネジ孔８６ｈと、を備え、ボルト９０が、底板２０の上面から下方に貫通し、ネジ孔８６ｈに螺合している。
これにより、ボルト９０を回転させると、ブラケット部８６を有した突出部材８０が上昇し、上方に向けて突出する。これにより、突出部材８０の突出動作を容易かつ確実に行うことができる。
【００５２】
また、組立式ロッカー１０は、突出部材８０の上端部にネジ孔８３ｈが形成され、側板３０に、突出部材８０を突出させた状態でネジ孔８３ｈに連続する貫通孔３９が形成されている。そして、側板３０は、ネジ孔８３ｈ及び貫通孔３９を貫通する締結ボルト１１０により突出部材８０に固定されている。
このようにして、突出した突出部材８０の上端部で、側板３０が突出部材８０に固定されることで、側板３０が強固に突出部材８０に締結される。
【００５３】
さらに、組立式ロッカー１０は、底板２０の側端部２０ａに、側板３０の下端部を受ける受け部材２６が形成され、受け部材２６の先端部にストッパ部２６ｂが形成されている。
これにより、受け部材２６上に側板３０の下端部を載せると、ストッパ部２６ｂにより側板３０の下端部が外方に変位するのを防ぐことができる。これにより側板３０が倒れるのを防止する。
したがって、受け部材２６上に側板３０の下端部を載せた状態で、上記突出部材８０を突出させることにより、組み立てをより容易に行うことができる。
【００５４】
加えて、組立式ロッカー１０は、底板２０の後端側に、外方に向けて突出する軸部材２７が設けられ、側板３０の後端側に、軸部材２７が挿入される軸挿入溝３６が形成されている。さらに、底板２０および側板３０の前端側には、突出部材８０および挿入凹部３８が配置されている。
これにより、側板３０を傾斜させて軸挿入溝３６に軸部材２７を挿入した後、側板３０を軸部材２７回りに回動させて前端側を下降させて、突出部材８０を挿入凹部３８に挿入させる。これにより、側板３０を安定的かつ容易に取り付けることが可能となる。
【００５５】
また、組立式ロッカー１０は、底板２０の側端部２０ａに、軸挿入溝３６に軸部材２７を挿入した状態で、側板３０を軸部材２７回りに回動させるときに、側板３０をガイドするガイド面として機能する側面２０ｓが形成されている。
これにより、側板３０の回動動作がガイドされ、側板３０を安定的かつ容易に取り付けることが可能となる。
【００５６】
さらに、側板３０を回動させていくと、受け部材２６のストッパ部２６ｂが、側板３０側の被支持部３５の立ち上がり壁３５ｃと内面３０ｆとの間の隙間に入り込んでいくようになっている。これによっても、側板３０の回動動作がガイドされ、側板３０を容易に取り付けることが可能となる。
【００５７】
（その他の実施形態）
なお、本発明は、図面を参照して説明した上述の実施形態に限定されるものではなく、その技術的範囲において様々な変形例が考えられる。
例えば、組立式ロッカー１０は、幅方向に複数の個別収容空間Ｓを有するようにしたが、さらに上下方向に複数段に区切られていてもよい。また、扉７０は必須の構成ではなく、扉７０を備えないオープン式の組立式ロッカー１０にも本発明は適用できる。
【００５８】
また、例えば図１８に示すように、第一背面板５１、第二背面板５２は、側板３０や仕切板６０と一体化してもよい。これにより、組立式ロッカー１０の組立が、より効率的に行える。
【００５９】
また、上記実施形態では、第一背面板５１は１つの個別収容空間Ｓに対応した幅を有し、第二背面板５２は、２つの個別収容空間Ｓに対応した幅を有するようにしたが、これに限るものではない。例えば、第一背面板５１は２つの個別収容空間Ｓに対応した幅を有し、第二背面板５２は、３つの個別収容空間Ｓに対応した幅を有するような組み合わせとしてもよい。
さらには、第一背面板５１、第二背面板５２に加え、これら第一背面板５１、第二背面板５２とは異なる数の個別収容空間Ｓの背面側を閉塞する第三背面板を組み合わせて組立式ロッカー１０を構成するようにしてもよい。
【００６０】
また、所要の強度が確保できるのであれば、底板２０や天板４０についても、背面板５０と同様に、異なる数の個別収容空間Ｓの下面側、上面側を閉塞する複数種のパネルから構成してもよい。
【００６１】
加えて、組立式ロッカー１０を構成する各部品の接続構造は、上記実施形態で示したものに限るものではなく、公知のいかなる接続構造を適用してもよい。
【００６２】
また、上記実施形態では、側板３０と底板２０に接続するのに、後端側に軸部材２７を設け、前端側に突出部材８０を設け、側板３０を回動させながら底板２０に装着するようにしたが、これに限るものではない。
例えば、後端側に突出部材８０を設け、前端側に軸部材２７を設けてもよい。
さらに、軸部材２７を設けず、前端側および後端側にそれぞれ突出部材８０を設けてもよい。この場合、側板３０は、上方から鉛直下方に下降させながら、各突出部材８０を挿入凹部３８に挿入する。
このような軸部材２７は、底板２０の側端部２０ａに少なくとも一つ設けられていれば良く、その位置については、例えば前後方向中間部等、他の位置でもよい。そして、軸部材２７ではなく、例えばＬ字状の金具等と組み合わせて側板３０を底板２０に接続するようにしてもよい。
これ以外にも、本発明の主旨を逸脱しない限り、上記実施の形態で挙げた構成を取捨選択したり、他の構成に適宜変更したりすることが可能である。
【符号の説明】
【００６３】
１０  ロッカー
２０  底板
２０ａ  側端部
２６  受け部材
２６ｂ  ストッパ部
２７  軸部材
２８  スリット部
２８ａ  上下スリット（スリット）
３０  側板
３１  被係止部材
３１ａ  プレート部
３５  被支持部
３６  軸挿入溝（軸挿入部）
３８  挿入凹部
３９  貫通孔（第二の貫通孔）
４０  天板
５０  背面板
５１  第一背面板
５２  第二背面板
６０  仕切板
７０  扉
８０  突出部材
８３ｈ  ネジ孔（第一の貫通孔）
８６  ブラケット部（挿入部）
８６ｈ  ネジ孔
９０  ボルト（操作部材）
９１  締結ボルト（締結部材）
１００  段付きネジ
Ｓ  個別収容空間
【図１】
2015104402.tif 000003
【図２】
2015104402.tif 000004
【図３】
2015104402.tif 000005
【図４】
2015104402.tif 000006
【図５】
2015104402.tif 000007
【図６】
2015104402.tif 000008
【図７】
2015104402.tif 000009
【図８】
2015104402.tif 000010
【図９】
2015104402.tif 000011
【図１０】
2015104402.tif 000012
【図１１】
2015104402.tif 000013
【図１２】
2015104402.tif 000014
【図１３】
2015104402.tif 000015
【図１４】
2015104402.tif 000016
【図１５】
2015104402.tif 000017
【図１６】
2015104402.tif 000018
【図１７】
2015104402.tif 000019
【図１８】
2015104402.tif 000020